(57)【要約】本発明の容器キャリアは、カップ、ソーダ缶、食べ物容器などの集まりの持ち運びに使用され得るものであって、折り曲げ式で薄板構造を有し、使い捨て式で、液体用容器及び固体用容器及びの持ち運びトレーとして使用され、加えて広告スペースに使用できる大きな外面を有する。
2006516516.tif 000002
【特許請求の範囲】
【請求項１】
温かい又は冷えた食べ物及び飲み物の容器の持ち運び用システムとして機能する改良型容器キャリアであって、
側方のダイカットのフラップを折り曲げた際に三次元の容器を形成する好ましくは厚紙製の均一で平らなボディーを備え、
前記ボディーは水平面と前記水平面上に設けられ縁部が星形のダイカットで形成された円形の開口部とを有し、
異なる直径のカップが差し込まれた際に、ダイカットの前記縁部が前記円形の開口部の内側に向けて折り曲げられ前記円形の開口部が差し込まれたカップの直径に適合することでカップが固定され、
液体入り容器用の前記円形の開口部を有する前記フラップは、折り曲げられ取付フラップにより取り付けられた際に取手を形成する溝を端部に有し、
前記フラップは更に耳形フラップを端部のサイドに備え、
前記耳形フラップは、対向するサイドフラップに設けられた縦方向のスロットに差し込まれて前記改良型容器キャリアの締結機構及び支持機構として機能する
ことを特徴とするもの。
【請求項２】
請求項１に記載の改良型容器キャリアにおいて、
液体入り容器用の前記円形の開口部を有する前記フラップは、折り曲げられ取付フラップにより取り付けられた際に取手を形成する溝を端部に有し、
前記フラップは更に耳形フラップを端部のサイドに備え、
前記耳形フラップは、対向するサイドフラップに設けられた縦方向のスロットに差し込まれて前記改良型容器キャリアの締結機構及び支持機構として機能する
ことを特徴とするもの。
【請求項３】
請求項１に記載の改良型容器キャリアにおいて、
縁部が星形のダイカットで形成された一連の円形の開口部を備え、異なる直径のカップが差し込まれた際に、ダイカットの前記縁部が前記円形の開口部の内側に折り曲げられ前記円形の開口部が差し込まれたカップの直径に適合してカップが固定される
ことを特徴とするもの。
【請求項４】
請求項１および請求項３に記載の改良型容器キャリアにおいて、
前記サイドフラップは、中央のスロットと、更に前記サイドフラップのサイドに設けられ端部が係合するタブとを有し、前記サイドフラップが折り曲げられ、内側のフラップに設けられて側面にスロットを有する容器を端部で支持するのに利用可能な取付フラップによって固定された際に、モデル構造の安定性を強化する
ことを特徴とするもの。
【請求項５】
請求項１に記載の改良型容器キャリアにおいて、
異なる直径のカップの収容を可能とする、星形が形成された一連の円形の開口部を備える
ことを特徴とするもの。
【発明の詳細な説明】
【技術分野】
【０００１】
本発明は、容器キャリア、つまりカップ、ソーダ缶、食べ物容器などの集まりの持ち運びに使用され得るものに関し、折り曲げ式の薄板構造を有し、使い捨て可能で、液体用容器及び固体用容器の両方の持ち運びトレーとして使用され、広告媒体としての大きな外面を備える。
【背景技術】
【０００２】
飲み物や食べ物の入った多くの容器を一人で持ち運ばなければならない状況が多々あるが、運んでいる途中で中身をこぼさないようにするのは非常に難しい。通常このようなことは、安全に持ち運びを行うためのトレーや持ち帰り袋を欠いた想定外の場合に起きることが多く、ユーザーは両手を使う他無い。
【０００３】
シュガーバッグ、ティーバッグ又はスプーンを備えたホットドリンク、アイスクリーム、ハンバーグ、フライドポテト又はポップコーンを持ち運びの際は、更に問題となる。
【０００４】
時にはこれら容器持ち運び用具が、紙袋から組み立てたカートントレー又はタバコのカートン箱で即席に作られる。後者の光景はオフィス街で最も良く見られ、同僚の為にタバコのカートン箱に数カップを入れて持ち運ぶ人も見受けられる。
【発明の開示】
【発明が解決しようとする課題】
【０００５】
市場には、食べ物の持ち運び用で折り曲げ式の、使い捨て袋のモデルがあるが、本発明の目的である、このモデルを真に使いやすく必要なものとするだけの重要な品質を備えていない。
【０００６】
本発明の容器持ち運び用具は、食べ物や缶類に加え、冷たい及び／又は温かいドリンクを同時に持ち運び易くし、外表面を広告媒体として用いることで、ファーストフードレストラン、カフェ、スポーツ競技場、及びスポーツイベントにおいて無料で提供できる程度に製造コストが低減できるものを提供する。これにより、顧客は外での購入品をどこでも望む場所へ安全かつ快適に持ち運ぶことができ、同時に直接広告を表示することもできる。多くのファーストフード店では、このような目的に即さないバッグに、液体の入ったカップを入れている。従って、持ち運びの最中にカップが振られ、多くの場合中身がこぼれて、バックのみならずバッグが接する面も汚れてしまう。
【課題を解決するための手段】
【０００７】
本発明で述べられるモデルは、ダイカットされた半剛体の薄板要素で構成され、持ち運びされる様々な直径のカップ用の枠として機能する円形の穴を上方側表面に有する直方体状のユニットを簡単かつ適切な折り曲げにより形成し、取手として機能する溝を端部に備えた２つの直立する端部が該ユニット表面に付随され、該ユニットの外側面には取り付け系と溝及び小さなフラップが形成される内側の直立するフラップとで本モデルの側面を閉じる２つの大きなフラップが備えられ、これらによりポップコーンカップ等の他の容器を側面のスロットで保持することができる。このユニットは、二組のサイドフックも備え、ユニットの固定を改善する。
【０００８】
本モデルの中心部には、カップをペアで置き、同様にモデルの内部には他の容器又は小さなトレーを置いてもよく、これらは全て、ダイカットのベースシートから平坦面の必要な折り曲げ工程を経る組み立てによって三次元構造が得られたユニットに配置される。
【発明を実施するための最良の形態】
【０００９】
上記説明の補足として、また本発明の特徴の理解を深めるための必須部分として、一連の図を添付し下記に示すが、これらの図は例示的なものであり、本発明を限定するものではない。
【００１０】
これらの図を参照すると、ドリンクキャリアは、５つの異なるセクタが規定される薄板からなるボディーで形成され、中心セクタ（ａ）はモデルの底部を構成し、２つの矩形状のセクタ（ｂ）は異なった直径のカップを支えるホルダ（ｃ）を形成すると共に取手（ｅ）及び（ｆ）を形成する小フラップを端部に備え、更に２つの曲線状フラップ（ｄ）と、対応するスロットを有したポップコーンカップを引っ掛ける取り付け系（ｇ）と、面を備える広告用外側パネル（ｈ）と、フッキングスロット（ｉ）と、フックを備えるラペル（ｊ）と、フッキングスロット（ｋ）を有するポップコーンカップとを備える。
【００１１】
外側フラップの取り付け系（ｇ）は、曲線状フラップ（ｄ）のスロット（ｉ）に差し込まれるダイカットのラペルにより形成され、取り付けを行うと共にモデルを確実に固定する。取り付けは、曲線状フラップ（ｄ）の側方に設けられた２組のラペル（ｊ）により行われる。
【００１２】
もちろん、モデルの外表面には、図、又は有益情報、又は広告メッセージの印刷が施される。
モデルの内側面でも、広告やレストランのレシピ等の情報が印刷され得る。
【００１３】
組み立て方法は容易であり、図１に参照される薄板構造を初めに、異なるダイカットエリアで折り曲げて外側フラップ（ｂ）を（ｉ）、（ｊ）で取り付けて、図２及び図３に示すように、飲み物容器又は食べ物容器を空いている表面や開口部に置くことができる。
【００１４】
サイドの取り付け部分（ｉ）の１つを固定する前に、図３に示すように、シュガーバッグ、スプーン、レストランのレシートなどと同様に食べ物容器を面（ａ）上の下部スペースに入れることが可能である。
【００１５】
最後に、外側フラップの取り付け系の取付フラップ（ｇ）を用いて、外面に垂直の小さなスロット（ｋ）を有するポップコーンカップなどの追加容器を支持させることができる。
【００１６】
本発明の本質から逸脱しない限り、細部の変更は可能でかつ保護されており、よって、カップ用の開口部の数や、フッキングシステムまたはジョイント構造の取り付け部の形状は変更可能である。当然のことながら、寸法や製造に用いられる材質も限定されるものではない。
【図面の簡単な説明】
【００１７】
【図１】本モデルの組み立て用ベースシートの展開図。
【図２】適切に組み立てられ、ポップコーン容器がフックフラップに取り付けられた状態の前図のモデルの正面図。
【図３】外側小フラップから広げられモデル内部に容器が入れられた状態の同モデルの斜視図。
【図１】
2006516516.tif 000003
【図２】
2006516516.tif 000004
【図３】
2006516516.tif 000005
【国際調査報告】
2006516516.tif 000006
2006516516.tif 000007
2006516516.tif 000008
2006516516.tif 000009